(57)【要約】【課題】使用時の態様に拘らず、快適に使用することのできるズボンを提供すること。【解決手段】本発明のズボン１は、ズボン本体３と、ズボン本体３の内側に配置されるパンツ９と、を有し、パンツ９を、ズボン本体３に取り付けることにより、ズボン本体３と一体的に構成させている。ズボン本体３が、着用時に着用者の前側略中央となる位置に、上下方向に略沿って配置されるファスナ７により、前面の一部を開閉可能な構成とされる。パンツ９が、少なくともファスナ７の周縁において、ズボン本体３に取り付けられて、ズボン本体３と同時に、ファスナ７により、着用時の前面の一部を開閉可能とされている。【選択図】図３
2014015689.tif 000002
【特許請求の範囲】
【請求項１】
ズボン本体と、該ズボン本体の内側に配置されるパンツと、を有し、該パンツを、前記ズボン本体に取り付けることにより、前記ズボン本体と一体的に構成させたズボンであって、
前記ズボン本体が、着用時に着用者の前側略中央となる位置に、上下方向に略沿って配置されるファスナにより、前面の一部を開閉可能な構成とされ、
前記パンツが、少なくとも前記ファスナの周縁において、前記ズボン本体に取り付けられて、前記ズボン本体と同時に、前記ファスナにより、着用時の前面の一部を開閉可能な構成とされていることを特徴とするズボン。
【請求項２】
前記パンツが、取付手段を用いて、前記ズボン本体に対して着脱可能に取り付けられていることを特徴とする請求項１に記載のズボン。
【請求項３】
前記ファスナが、合成樹脂製であることを特徴とする請求項１又は２に記載のズボン。
【発明の詳細な説明】
【技術分野】
【０００１】
本発明は、ズボン本体と、ズボン本体の内側に配置されるパンツと、を有し、パンツを、ズボン本体に取り付けることにより、ズボン本体と一体的に構成させたズボンに関する。
【背景技術】
【０００２】
従来、パンツ（下着）をズボン本体に一体化させたズボンとしては、パンツを、面状ファスナを利用して、ズボン本体に取り付けた構成のものがあった（例えば、特許文献１参照）。
【先行技術文献】
【特許文献】
【０００３】
【特許文献１】特開２００５−２４０２５８公報
【発明の概要】
【発明が解決しようとする課題】
【０００４】
この従来のズボンは、要介護者に好適に着用可能なように、構成されているもので、ズボン本体に、前面の一部を開閉させるためのファスナが配設されていない。そのため、このような構成のズボンを使用する場合、着用者が自力で小用を足す際にも、ズボン全体を上下動させる必要があって、不便であった。
【０００５】
本発明は、上述の課題を解決するものであり、使用時の態様に拘らず、快適に使用することのできるズボンを提供することを目的とする。
【課題を解決するための手段】
【０００６】
本発明に係るズボンは、ズボン本体と、ズボン本体の内側に配置されるパンツと、を有し、パンツを、ズボン本体に取り付けることにより、ズボン本体と一体的に構成させたズボンであって、
ズボン本体が、着用時に着用者の前側略中央となる位置に、上下方向に略沿って配置されるファスナにより、前面の一部を開閉可能な構成とされ、
パンツが、少なくともファスナの周縁において、ズボン本体に取り付けられて、ズボン本体と同時に、ファスナにより、着用時の前面の一部を開閉可能な構成とされていることを特徴とする。
【０００７】
本発明に係るズボンでは、パンツ（下着）とズボン本体とを一体的に構成していても、パンツを、ズボン本体とともに、ズボン本体の前側略中央に配置されるファスナを使用して開閉させることができることから、着用時に、ファスナを一度上下動させるだけで、パンツとズボン本体との前面の一部を同時に開閉させることができ、例えば、着用者が自力で小用を足す際等の動作が煩雑にならず、快適に使用することができる。また、本発明に係るズボンでは、パンツが、ズボン本体に取り付けられて、ズボン本体と一体的に構成されていることから、着脱時に、パンツ（下着）とズボン本体とを一度に着脱させることができる。そのため、着用者自身が着脱する際にも、快適に使用可能であり、また、介助者が要介護者に着脱させる場合にも、作業が煩雑とならず、快適に使用することができる。
【０００８】
したがって、本発明に係るズボンは、使用時の態様に拘らず、快適に使用することができる。
【０００９】
また、本発明のズボンにおいて、パンツを、取付手段を用いて、ズボン本体に対して着脱可能に取り付ける構成とすれば、ズボン本体に対してパンツを交換することも可能となって、一層快適に使用することができて、好ましい。
【００１０】
さらに、上記構成のズボンにおいて、ファスナを、合成樹脂製とすれば、病院等においての検査時に、ズボンを着用した状態で検査を受けることが可能となって、好ましい。
【図面の簡単な説明】
【００１１】
【図１】本発明の一実施形態であるズボンの平面図である。
【図２】図１のズボンの部分拡大縦断面図である。
【図３】図１のズボンの部分拡大斜視図であり、ファスナを開いてフックとボタンとを外した状態を示す図である。
【図４】本発明の他の実施形態であるズボンの平面図である。
【図５】図４のズボンの部分拡大縦断面図である。
【発明を実施するための形態】
【００１２】
以下、本発明の一実施形態を図面に基づいて説明する。図１に、本発明の一実施形態であるズボン１を、示す。ズボン１は、ズボン本体３と、ズボン本体３の内側に配置されるパンツ９（下着）と、を備える構成とされて、実施形態の場合、パンツ９を、取付手段としての面状ファスナ１２を用いて、ズボン本体３に取り付けて、ズボン本体３と一体的に構成している。
【００１３】
実施形態の場合、ズボン本体３は、綿や毛等の天然繊維や、ポリエステル繊維やアクリル繊維、ポリウレタン繊維等の合成繊維、あるいは天然繊維と合成繊維とを混合させた繊維から成る織地から形成されて、着用時にくるぶしまで覆う長ズボンタイプとして、上端側に、ベルト通し４ａを有したベルト布４を配置させた構成とされている。ズボン本体３は、着用時に腰部を覆う部位の前側略中央となる位置に、上下方向に略沿って、ファスナ７を配置させて、前面の一部を開閉可能な構成とされている。また、実施形態のズボン本体３では、図２に示すように、ファスナ７の上方となるベルト布４の部位に、一対のフック５を配置させるとともに、フック５の右側に、ベルト布４の一端を係止させるボタン６を、配置させている。そして、実施形態のズボン本体３は、図３に示すように、ボタン６及びフック５を外しつつ、ファスナ７を開かせることにより、前側中央を、上端側を左右で分断させるように開き可能に、構成されている。なお、ズボン本体３において使用されるファスナ７としては、通常衣服等に使用される汎用のものが使用されており、把手（図符号省略）を把持して下方に下げることにより開口を形成するように開き、開いた状態から把手を上方に引き上げることにより閉塞される構成である。また、ボタン６及びフック５も、通常衣服等に使用される汎用のものが使用されている。
【００１４】
パンツ９は、通常の下着と同様に、綿等の天然繊維等からなる織布から構成されて、着用者の腰から股にかけての外周側を覆うように、構成されるもので、前側略中央であって、図２，３に示すように、ファスナ７と対応する位置に、上下方向に略沿って形成される切り込み１０を、有する構成とされている。詳細には、切り込み１０は、パンツ９の上端側を左右で分断するように上端側から下方にかけて形成されるとともに、ファスナ７を内側に露出させるように、溝状に形成されている（図２参照）。そして、このパンツ９は、取付手段としての面状ファスナ１２Ａ，１２Ｂを用いて、ズボン本体３に取り付けられることにより、ズボン本体３と一体的に構成されている。具体的には、パンツ９は、図１〜３に示すように、切り込み１０の周縁（左右両縁側）を、連続的に配置される面状ファスナ１２Ａによって、ズボン本体３のファスナ７の周縁（左右両側）の部位に取り付けられるとともに、上縁９ａ側を、断続的に配置される面状ファスナ１２Ｂによって、ズボン本体３のベルト布４の部位に、取り付けられている。面状ファスナ１２Ａ，１２Ｂとしては、一般に使用される雄型の部材と雌型の部材とからなる一対の帯状のものが使用され、実施形態では、一方を、ズボン本体３の内周面側に縫着させ、他方をパンツ９において対応する位置の外周面側に縫着させている。
【００１５】
そして、パンツ９は、切り込み１０の部位において、ズボン本体３と同時に、ファスナ７により、着用時の前面の一部を開閉可能な構成とされている。すなわち、パンツ９は、ファスナ７を、把手を下げるようにして開口させた際に、切り込み１０の部位を開口させて（図２の二点鎖線参照）、ズボン本体３と同時に、着用時の前面の一部を開き可能とし、ファスナ７を、把手を上げるようにして閉塞させた状態では、ファスナ７によって、切り込み１０の部位を閉塞させるような構成とされている。また、実施形態のズボン１では、パンツ９に形成される切り込み１０は、パンツ９の上端側を左右で分断させるように構成されており、パンツ９は、フック５及びボタン６を外してファスナ７を開かせた状態では、図３に示すように、ズボン本体３とともに、上端側を左右で分断させるように開き可能な構成とされている。
【００１６】
そして、実施形態のズボン１では、パンツ９（下着）をズボン本体３と一体的に構成していても、パンツ９を、ズボン本体３とともに、ズボン本体３の前側略中央に配置されるファスナ７を使用して開閉させることができることから、着用時に、ファスナ７を一度上下動させるだけで、パンツ９とズボン本体３との前面の一部を同時に開閉させることができ、例えば、着用者が自力で小用を足す際等の動作が煩雑にならず、快適に使用することができる。また、実施形態のズボン１では、パンツ９が、ズボン本体３に取り付けられて、ズボン本体３と一体的に構成されていることから、着脱時に、パンツ９（下着）とズボン本体３とを一度に着脱させることができる。そのため、着用者自身が着脱する際にも、快適に使用可能であり、また、介助者が要介護者に着脱させる場合にも、作業が煩雑とならず、快適に使用することができる。
【００１７】
したがって、実施形態のズボン１は、使用時の態様に拘らず、快適に使用することができる。
【００１８】
特に、実施形態のズボン１では、ズボン本体３を織地から形成するとともに、ベルト通し４ａを備えた構成としていることから、外出着にも、好適に使用可能である。
【００１９】
また、実施形態のズボン１では、パンツ９を、取付手段としての面状ファスナ１２Ａ，１２Ｂを用いて、ズボン本体３に対して着脱可能に取り付けていることから、ズボン本体３に対してパンツ９を交換することも可能となって、一層快適に使用することができる。なお、着脱可能な取付手段としては、面状ファスナ１２Ａ，１２Ｂに限られるものではなく、例えば、一対のスナップボタンを、多数点在して配置させるようにして、使用してもよい。しかしながら、使用感が良好で、ズボン本体３に対するパンツ９の着脱作業が容易であり、かつ、広範囲にわたって簡便に取り付けられる観点からは、取付手段として面状ファスナ１２Ａ，１２Ｂを使用することが、好ましい。
【００２０】
勿論、上記のような点を考慮しなければ、図４，５に示すズボン１５のように、パンツ２１を、ズボン本体１６に縫着させて、ズボン本体１６と一体化させた構成としてもよい。図４，５に示すズボン１５では、ズボン本体１６として、綿ジャージ素材から構成されて、着用時にくるぶしまで覆う長ズボンタイプものが、使用されている。このズボン本体１６では、着用時に腰近辺に位置する上端側の開口周縁の部位を、筒状に形成された紐通し部１７として、この紐通し部１７に紐状部材１８を、両端を突出させるように、挿通させて、この紐状部材１８の両端を引っ張って結ぶことにより、紐通し部１７を、着用者の腰周りに合わせるように、調節可能とされている。そして、このズボン本体１６では、ファスナ１９は、着用時の前側略中央となる位置であって、紐通し部１７の下方となる位置に、上下方向に略沿って配置されている。すなわち、図４，５のズボン１５では、ズボン本体１６は、着用時の前側略中央であって、上下の中間部位となる一部を、開閉可能に構成されている。また、図４，５のズボン本体１６では、ファスナ１９として、金属製の部品を使用していない合成樹脂製のものが、使用されている。
【００２１】
パンツ２１は、前述のズボン１に使用されるパンツ９と同様の構成とされて、切り込み２２の位置のみが、パンツ９と若干異なっている。パンツ２１には、着用時の前側略中央であって、ファスナ１９と対応する位置に、上下方向に略沿って、切り込み２２が形成されている。この切り込み２２は、図５に示すように、ファスナ１９を内側に露出させるように、溝状に形成されるもので、ファスナ１９と対応して、パンツ２１の上端側まで到達せず、上下の中間部位に、形成されている。そして、このパンツ２１は、切り込み２２の周縁（左右両縁側）を、縫合糸を用いて、ズボン本体１６のファスナ１９の周縁の部位に全周にわたって形成される縫合部位２３の部位で縫着されるとともに、上縁２１ａ側を、ズボン本体１６の紐通し部１７に、略全周にわたって形成される縫合部位２４の部位で縫着されて、ズボン本体１６と一体的に構成されている（図５参照）。このズボン１５においても、パンツ２１は、切り込み２２の部位において、ズボン本体１６と同時に、ファスナ１９により、着用時の前面の一部を開閉可能な構成とされて、ファスナ１９を開口させれば、パンツ２１における切り込み２２の部位を開口させることができる（図５の二点鎖線参照）。
【００２２】
このような構成のズボン１５においても、パンツ２１（下着）をズボン本体１６と一体的に構成していても、パンツ２１を、ズボン本体１６とともに、ズボン本体１６の前側略中央に配置されるファスナ１９を使用して開閉させることができることから、着用時に、ファスナ１９を一度上下動させるだけで、パンツ２１とズボン本体１６との前面の一部を同時に開閉させることができ、例えば、着用者が自力で小用を足す際等の動作が煩雑にならず、快適に使用することができる。また、上記構成のズボン１５においても、パンツ２１が、ズボン本体１６に取り付けられて、ズボン本体１６と一体的に構成されていることから、着脱時に、パンツ２１（下着）とズボン本体１６とを一度に着脱させることができる。そのため、着用者自身が着脱する際にも、快適に使用可能であり、また、介助者が要介護者に着脱させる場合にも、作業が煩雑とならず、快適に使用することができる。
【００２３】
また、図４，５に示すズボン１５では、ファスナ１９が合成樹脂製とされて、金属が用いられていないことから、病院等においての検査時に、ズボン１５を着用した状態で検査を受けることが可能となって、一層快適に使用することができる。
【００２４】
なお、実施形態では、パンツ９，２１として、綿等の天然繊維等からなる織布から構成されたものを使用しているが、例えば、パンツを構成する織布を、備長炭を練り込んだ繊維から構成してもよく、このような繊維からパンツを構成すれば、脱臭効果も得ることができて、好ましい。
【００２５】
また、実施形態では、パンツ９，２１を、切り込み１０，２２の周縁（ファスナ７，１９の周縁）となる部位に加えて、上縁９ａ，２１ａ側の部位で、ズボン本体３，１６に取り付けている構成であるが、パンツのズボン本体への取付位置は、これに限られるものではなく、切り込みの周縁をファスナの周縁に取り付ける構成であれば、必ずしも、上縁側をズボン本体に取り付けなくともよい。しかしながら、着脱時を考慮すれば、パンツの上縁側も、ズボン本体に取り付ける構成とすることが、望ましい。
【００２６】
また、本発明のズボンで使用されるズボン本体も、実施形態で例示されているものに限らず、本発明は、ハーフパンツタイプのズボン等にも適用可能である。
【符号の説明】
【００２７】
１，１５…ズボン、３，１６…ズボン本体、７，１９…ファスナ、９，２１…パンツ、１０，２２…切り込み、１２…面状ファスナ（取付手段）。
【図１】
2014015689.tif 000003
【図２】
2014015689.tif 000004
【図３】
2014015689.tif 000005
【図４】
2014015689.tif 000006
【図５】
2014015689.tif 000007